(57)【要約】【課題】カメラとレンズ装置の間に配置されるアダプタ式の防振装置において、カメラ・レンズ間のパラレル信号を使用することなく、防振制御に必要な情報をレンズ装置との間でのシリアル通信により取得することによって、防振制御に必要な全ての情報の得ることができる防振装置を提供する。【解決手段】  防振装置２０は、シリアルインターフェース回路７０を備え、レンズ装置２２のシリアルインターフェース回路５２に接続される。これによって防振装置２０はレンズ装置２２との間でシリアル通信を行うことができ、シリアル通信により防振制御に必要な情報を取得することができる。【選択図】      図４
2006065068.tif 000002
【特許請求の範囲】
【請求項１】
カメラとレンズ装置との間に着脱可能に配置される防振装置であって、振動による像振れを光学的に防止する防振装置において、
前記レンズ装置との間でシリアル通信を行うシリアル通信手段と、
前記シリアル通信手段により、防振制御に必要な情報を前記レンズ装置から取得する情報取得手段と、
を備えたことを特徴とする防振装置。
【請求項２】
前記情報取得手段は、前記レンズ装置のレンズ名称、ズーム情報、フォーカス情報、アイリス情報、エクステンダー情報のうち、少なくともレンズ名称を含む１つ又は複数の情報であることを特徴とする請求項１の防振装置。
【請求項３】
前記レンズ装置との間でシリアル通信を行うシリアル通信手段を第１のシリアル通信手段とすると、前記レンズ装置以外の他の機器との間でシリアル通信を行う第２のシリアル通信手段を備え、前記レンズ装置と前記他の機器との間でやり取りされる情報を、前記第１のシリアル通信手段及び前記第２のシリアル通信手段によって、送信元となる前記レンズ装置又は前記他の機器から受信し、送信先となる前記レンズ装置又は前記他の機器に送信する情報転送手段を備えたことを特徴とする請求項１の防振装置。
【請求項４】
前記他の機器は前記カメラであることを特徴とする請求項３の防振装置。
【請求項５】
前記カメラと前記レンズ装置とを接続する前記カメラのコネクタと前記レンズ装置のコネクタは、パラレル信号が伝送されるパラレル信号ラインとシリアル信号が伝送されるシリアル信号ラインとを備え、前記防振装置は、前記カメラのコネクタと接続されるカメラ側コネクタと、前記レンズ装置のコネクタに接続されるレンズ側コネクタとを備え、前記パラレル信号ラインを前記カメラ側コネクタと前記レンズ側コネクタとの間で直結すると共に、前記シリアル信号ラインを前記情報転送手段を介して前記カメラ側コネクタと前記レンズ側コネクタの間で接続することを特徴とする請求項４の防振装置。
【発明の詳細な説明】
【技術分野】
【０００１】
本発明は防振装置に係り、特にカメラとレンズ装置の間に装着されるアダプタ式の防振装置に関する。
【背景技術】
【０００２】
テレビカメラの防振装置として、レンズ装置に内蔵されているものと、レンズ装置に外付けされるアダプタ式のものとが知られている。アダプタ式の防振装置は、防振装置が組み込まれていないレンズ装置を使用する場合であっても防振機能を追加することができ、また、多種のレンズ装置で共用することができるためレンズ装置に防振装置を組み込む場合に比べてコスト的に有利な面がある。
【０００３】
アダプタ式の防振装置は、例えば、レンズ装置とカメラ（カメラ本体）との間に着脱可能に装着されるようになっており、レンズ装置の撮影光学系（撮影レンズ）の後端側に配置される補正レンズ、振動を検出する振れ検出センサ（ジャイロセンサ等）、補正レンズを光軸に対して直交方向に駆動制御する制御部等を備えている。制御部は、振れ検出センサによって検出した振動に基づいてその振動に起因して生じる像振れを打ち消すように補正レンズの変位量を制御している。
【０００４】
ところで、防振装置では、振れ検出センサによって検出した振動の大きさに対して、その振動に起因して生じる像振れの大きさが撮影光学系の焦点距離によって相違するため、撮影光学系の焦点距離を考慮して防振レンズの変位量を決める必要がある。そのため、特許文献１には、アダプタ式の防振装置において、カメラとレンズ装置との間（カメラ・レンズ間）でやり取りされるパラレル信号の情報を防振装置を介して伝送すると共に、防振装置において必要なズーム情報やエクステンダー情報等の撮影光学系の焦点距離に関係するレンズ情報をそのパラレル信号から抜き出して取得することが提案されている。
【特許文献１】特開２００１−１７７７４４号公報
【発明の開示】
【発明が解決しようとする課題】
【０００５】
しかしながら、上述のような特許文献１の方法では、必ずしも防振装置で必要な情報の全てを得ることができない場合がある。例えば、ズーム情報は、最小倍率から最大倍率までのズーム倍率を規定の最小電圧（例えば２．５Ｖ）から最大電圧（例えば７．５Ｖ）までの電圧値によって送信されている。一方、ズームの最小倍率や最大倍率での焦点距離は、レンズ装置の種類によって相違する。そのため、防振装置では、使用するレンズ装置の特性（性能）を考慮する必要がある。特許文献１では、その特性情報をレンズ装置から取得することが提案されているが、必ずしもレンズ装置がそのような特性情報を出力する機能を有しているとは限らず、その場合、防振装置は必要な情報を得ることができない。そのため、現状では、防振装置において必要なレンズ装置の特性情報をユーザが所定のレンズ設定手段によって設定することで対応している。
【０００６】
しかしながら、このような設定作業は手間を要するという問題があった。また、防振装置では、焦点距離に関する情報だけでなく撮影光学系に関するその他の情報（例えば、フォーカス情報やアイリス情報等）も防振制御のために必要とする場合があり、カメラ・レンズ間でやり取りされるパラレル信号からでは得ることができないという問題もあった。
【０００７】
また、近年では、カメラ・レンズ間の信号のやり取りをシリアル通信により行うものが増えており、その場合には特許文献１のように必要な情報のみを信号ラインから抜き出すことはできない。
【０００８】
本発明はこのような事情に鑑みてなされたもので、カメラ・レンズ間のパラレル信号の情報を使用することなく、防振制御に必要な情報を得ることができる防振装置を提供することを目的とする。
【課題を解決するための手段】
【０００９】
前記目的を達成するために、請求項１に記載の防振装置は、カメラとレンズ装置との間に着脱可能に配置される防振装置であって、振動による像振れを光学的に防止する防振装置において、前記レンズ装置との間でシリアル通信を行うシリアル通信手段と、前記シリアル通信手段により、防振制御に必要な情報を前記レンズ装置から取得する情報取得手段と、備えたことを特徴としている。
【００１０】
本発明によれば、シリアル通信によってレンズ装置から情報を取得するようにしたため、レンズ装置からカメラに送信される情報に制限されることなく、防振制御に必要な情報を得ることができる。
【００１１】
請求項２に記載の防振装置は、請求項１に記載の発明において、前記情報取得手段は、前記レンズ装置のレンズ名称、ズーム情報、フォーカス情報、アイリス情報、エクステンダー情報のうち、少なくともレンズ名称を含む１つ又は複数の情報であることを特徴としている。レンズ装置のレンズ名称の情報は、レンズ装置の種類（特性）に応じて防振制御の処理内容を切り替える場合に利用することができる。例えば、ズームの最大倍率や最小倍率での焦点距離は、レンズ装置の種類によって異なり、振動の大きさに対する適正な像振れ補正の補正量に影響する。そのため、レンズ名称によって振動の大きさと像振れ補正の補正量との関係を変更することによってレンズ装置の種類に応じた適正な像振れ補正を行うことができる。
【００１２】
請求項３に記載の防振装置は、請求項１に記載の発明において、前記レンズ装置との間でシリアル通信を行うシリアル通信手段を第１のシリアル通信手段とすると、前記レンズ装置以外の他の機器との間でシリアル通信を行う第２のシリアル通信手段を備え、前記レンズ装置と前記他の機器との間でやり取りされる情報を、前記第１のシリアル通信手段及び前記第２のシリアル通信手段によって、送信元となる前記レンズ装置又は前記他の機器から受信し、送信先となる前記レンズ装置又は前記他の機器に送信する情報転送手段を備えたことを特徴としている。レンズ装置に設けられているシリアル通信用のコネクタを防振装置に接続すると、他の機器をそのコネクタに接続して他の機器とレンズ装置との間でシリアル通信を行うことができなくなる。そのため、本発明では、防振装置を介して他の機器とレンズ装置との間でシリアル通信を行えるようにしている。
【００１３】
請求項４に記載の防振装置は、請求項３に記載の発明において、前記他の機器は前記カメラであることを特徴としている。カメラとレンズ装置との間での情報のやり取りがシリアル通信によって行われるような場合、防振装置をカメラとレンズ装置との間に配置した場合であってもそのカメラとレンズ装置との間でのシリアル通信による情報のやり取りが可能である。
【００１４】
請求項５に記載の防振装置は、請求項４に記載の発明において、前記カメラと前記レンズ装置とを接続する前記カメラのコネクタと前記レンズ装置のコネクタは、パラレル信号が伝送されるパラレル信号ラインとシリアル信号が伝送されるシリアル信号ラインとを備え、前記防振装置は、前記カメラのコネクタと接続されるカメラ側コネクタと、前記レンズ装置のコネクタに接続されるレンズ側コネクタとを備え、前記パラレル信号ラインを前記カメラ側コネクタと前記レンズ側コネクタとの間で直結すると共に、前記シリアル信号ラインを前記情報転送手段を介して前記カメラ側コネクタと前記レンズ側コネクタの間で接続することを特徴としている。本発明は、カメラとレンズ装置との間での情報のやり取りがパラレル信号とシリアル信号（シリアル通信）によって行われると共に、それらの信号ラインがカメラとレンズ装置の各々に設けられた１つのコネクタによって接続される場合に、防振装置を配置した場合であってもカメラとレンズ装置との間でのパラレル信号とシリアル通信での情報のやり取りを可能にしたものである。
【発明の効果】
【００１５】
本発明に係る防振装置によれば、カメラ・レンズ間のパラレル信号の情報を使用することなく、防振制御に必要な情報を得ることができる。
【発明を実施するための最良の形態】
【００１６】
以下添付図面に従って本発明に係る防振装置の好ましい実施の形態について詳述する。
【００１７】
図１は、本発明に係る防振装置が適用されたテレビカメラ装置１０の実施の形態を示した全体図である。
【００１８】
同図に示すテレビカメラ装置１０は、三脚１２の雲台１４上に衝立状のレンズサポータ１６が固定されており、そのレンズサポータ１６のマウント枠１７に対して図中右側にＥＮＧカメラ（以下、単にカメラという）１８が設置され、マウント枠１７に対して図中左側にマウント枠１７に支持されたＥＦＰ用のレンズ装置２２が配置されている。また、カメラ１８とレンズ装置２２の間には、マウント枠１７に固定されたアダプタ式の防振装置２０が配置されている。
【００１９】
マウント枠１７には開口部が形成されており、レンズ装置２２後端のレンズマウントは、その開口部を貫通して防振装置２０の前面側に設けられた化粧環内に挿入配置されている。また、防振装置２０の後面側にはレンズ装置２２のレンズマウントと同一のマウントが設けられており、そのマウントがカメラ１８のマウント１９に連結されている。これにより、カメラ１８とレンズ装置２２とが防振装置２０を介して連結される。
【００２０】
また、カメラ１８、防振装置２０、及び、レンズ装置２２は、電気的にも接続されており、例えば、カメラ１８とレンズ装置２２との間（カメラ・レンズ間）での情報のやり取りは、防振装置２２を介して行われるようになっている。図２は、図１のように連結されるカメラ１８、防振装置２０、及び、レンズ装置２２を簡易的に示した図であり、同図のカメラ１８及びレンズ装置２２は、防振装置２０の不使用時にカメラ１８とレンズ装置２２とを直接連結した場合に、ケーブルを使用することなくカメラ１８のコネクタ１８Ａとレンズ装置２２のコネクタ２２Ａとが直接接続されるようになっている。
【００２１】
このようなカメラ１８とレンズ装置２２の間に配置される防振装置２０では、例えば、後面側と前面側にそれぞれカメラ側コネクタ２０Ａとレンズ側コネクタ２０Ｂとが設けられている。カメラ１８とレンズ装置２２との間に防振装置２０を連結した際にカメラ側コネクタ２０Ａとカメラ１８のコネクタ１８Ａとがケーブルを用いることなく直接接続されると共に、レンズ側コネクタ２０Ｂとレンズ装置２２のコネクタ２２Ａがケーブルを用いることなく直接接続され、カメラ・レンズ間の情報のやり取りが防振装置２０を介して行われるようになっている。尚、カメラ１８と防振装置２０の間、レンズ装置２２と防振装置２０の間、及び、カメラ１８とレンズ装置２２との間での信号の伝送はどのような接続態様によって行われるものでもよく、図２のようにケーブルを使用しない態様であってもよいし、ケーブルで接続する態様であってもよい。
【００２２】
図３は、防振装置２０の内部構成を示したブロック図である。上記レンズ装置２２の撮影光学系（撮影レンズ）の光軸とカメラ１８の光学系の光軸とは一致しており、同図において防振装置２０に配置された補正レンズ３０は、その光軸上に配置されると共に、光軸に対して直交する面内で上下（垂直）方向及び左右（水平）方向に移動可能に配置されている。また、補正レンズ３０は、各モータ３２、３４によって垂直方向と水平方向とに駆動されるようになっている。
【００２３】
同図の振れ検出センサ３６、３８は、例えばジャイロセンサ等の角速度センサであり、振れ検出センサ３６からは垂直方向に生じた振動に応じた振れ信号が出力され、振れ検出センサ３８からは水平方向に生じた振動に応じた振れ信号が出力される。
【００２４】
防振装置２０内にはＣＰＵ４０が搭載されており、そのＣＰＵ４０は振れ検出センサ３６、３８から得られる振れ信号に基づいて、垂直方向及び水平方向に生じた振動の向きと大きさ（振れ量）を検出し、その振動に起因する像振れを打ち消すための補正レンズ３０の基準位置からの変位量を算出する。そして、駆動回路４２に制御信号を出力してモータ３２及びモータ３４を駆動することによって、算出した変位量となるように補正レンズ３０を変位させる。このような防振装置２０での防振制御の処理により撮影光学系に生じた振動に対する像振れが防止される。
【００２５】
ところで、振れ検出センサ３６、３８からの振れ信号によって検出した振れ量が同じ場合であっても、それによって生じる像振れを打ち消すための補正レンズ３０の変位量はレンズ装置２２における撮影光学系の焦点距離によって相違する。レンズ装置２２における撮影光学系の焦点距離は、レンズ装置２２がズーム機能を備えている場合にはズーム倍率によって変化し、また、エクステンダーを備えている場合にはエクステンダー倍率によって変化する。そのため、ＣＰＵ４０は、ズーム倍率に関する情報（ズーム情報）やエクステンダー倍率に関する情報（エクステンダー情報）を後述のようにレンズ装置２２から取得している。
【００２６】
また、レンズ装置２２の光学特性は、レンズ装置２２の種類によって相違し、例えば、ズーム情報やエクステンダー情報を取得するだけでは焦点距離自体の値を得ることができないため、補正レンズ３０の適切な変位量を求めることができない。そのため、ＣＰＵ４０は、レンズ装置２２のレンズ名称を取得することによって、レンズ装置２２の種類を特定し、その光学特性を考慮して補正レンズ３０の適切な変位量を算出するようにしている。尚、取得したレンズ名称に対してどのような処理を行うかのデータが事前に作成され、ＣＰＵ４０で読取可能なメモリに記憶されている。
【００２７】
更に、ＣＰＵ４０は、レンズ名称、ズーム情報、エクステンダー情報以外にも例えばフォーカス情報やアイリス情報等も考慮して防振制御を行っており、それらの情報もレンズ装置２２から取得している。尚、フォーカス位置が変化すると光学系全体の焦点距離が変化する場合があるため、フォーカス情報をレンズ装置２２から取得することによって高精度な防振制御を行うことができる。
【００２８】
続いて、防振装置２０での防振制御に必要な情報の取得に関して説明する。図４は、カメラ１８、防振装置２０、レンズ装置２２の間で各種情報をやり取りするための第１の実施の形態の構成を示したブロック図である。同図において、レンズ装置２２は、カメラ１８との間で各種情報をアナログのパラレル信号によって送受信するための信号変換回路５０と、各種情報をシリアル通信によって送受信するためのシリアルインターフェース回路５２を備え、カメラ１８は、レンズ装置２２との間で各種情報をアナログのパラレル信号によって送受信するための信号変換回路５４を備えている場合を示している。尚、信号変換回路５０、５４は、それらの回路に接続された信号ラインによって送受信されるアナログのパラレル信号をレンズ装置２２及びカメラ１８の図示しないＣＰＵに受け渡しするための回路である。
【００２９】
この場合、レンズ装置２２の信号変換回路５０に接続されたパラレル用コネクタ６０は、防振装置２０のレンズ側パラレル用コネクタ７２に接続されると共に、防振装置２０のカメラ側パラレル用コネクタ７４がカメラ１８の信号変換回路５４に接続されたパラレル用コネクタ６４に接続される。防振装置２０内において、レンズ側パラレル用コネクタ７２とカメラ側パラレル用コネクタ７４との間では信号ラインが直結されており、レンズ装置２２の信号変換回路５０とカメラ１８の信号変換回路５４との間でパラレル信号による各種情報のやり取りが直接行われるようになっている。尚、同図に示す信号ラインの数は実際の数を示すものではない（図５、図６においても同様）。また、レンズ装置２２のパラレル用コネクタ６０、カメラ１８のパラレル用コネクタ６４、防振装置２０のレンズ側パラレル用コネクタ７２及びカメラ側パラレル用コネクタ７４は、それぞれ図２のように接続されるコネクタ２２Ａ、１８Ａ、２０Ｂ、２０Ａに相当する。但し、各コネクタ間はケーブルで接続する態様であってもよいし、また、防振装置２０を介することなく、レンズ装置２２のパラレル用コネクタ６０とカメラ１８のパラレル用コネクタ６４とをケーブルで接続する態様であってもよい。
【００３０】
一方、レンズ装置２２のシリアルインターフェース回路５２に接続されたシリアル用コネクタ６２は、防振装置２０のシリアル用コネクタ７６に接続される。防振装置２０は、シリアルインターフェース回路７０を備えており、シリアル用コネクタ７６はそのシリアルインターフェース回路７０に接続されている。これによって、レンズ装置２２のシリアルインターフェース回路５２と防振装置２０のシリアルインターフェース回路７０との間がシリアル信号を伝送する信号ラインによって接続され、シリアル通信により各種情報のやり取りが行われるようになっている。
【００３１】
これによれば、防振装置２０のＣＰＵ４０は、シリアルインターフェース回路７０を介して防振制御に必要な情報、例えば、上述のようにレンズ装置２２のレンズ名称、ズーム情報、エクステンダー情報、フォーカス情報、アイリス情報等をレンズ装置から取得することができる。
【００３２】
図５は、図４の第１の実施の形態の構成に対して、コントローラやバーチャルシステムなどの他の機器とレンズ装置２２との間で情報のやり取りを行えるようにする場合の第２の実施の形態の構成を示したブロック図である。尚、図４と同一又は類似の構成部には図４と同一符号を付し、その説明を省略する。同図に示すようにコントローラやバーチャルシステム（コンピュータ）のような他の機器８０は、シリアルインターフェース回路８２を備え、防振装置２０の不使用時では、そのシリアルインターフェース回路８２が接続されたシリアル用コネクタ８４をレンズ装置２２のシリアル用コネクタ６２にケーブルで接続することによってレンズ装置２２との間でシリアル通信により情報のやり取りを行うことができるようになっている。
【００３３】
一方、防振装置２０を使用する場合、レンズ装置２２のシリアル用コネクタ６２には防振装置２０のシリアル用コネクタ７６が接続されるため、他の機器８０を接続することができない状態となる。そこで、防振装置２０には、上記シリアル用コネクタ７６の他にシリアル用コネクタ８６が設けられており、そのシリアル用コネクタ８６に他の機器８０のシリアル用コネクタ８４を接続することによって、防振装置２０のシリアルインターフェース回路７０を介して他の機器８０のシリアルインターフェース回路８２とレンズ装置２２のシリアルインターフェース回路５２との間でシリアル通信により情報のやり取りを行うことができるようになっている。
【００３４】
防振装置２０のＣＰＵ４０は、第１の実施の形態と同様にシリアルインターフェース回路７０によって防振制御に必要な情報をレンズ装置２２から取得する。また、ＣＰＵ４０は、他の機器８０がレンズ装置２２に要求する情報をシリアルインターフェース回路７０を介して受信し、シリアルインターフェース回路７０を介してレンズ装置２２のシリアルインターフェース回路５２に送信する。そして、その要求に従ってレンズ装置２２のシリアルインターフェース回路５２から送信された情報をシリアルインターフェース回路７０を介して受信し、シリアルインターフェース回路７０を介して他の機器８２のシリアルインターフェース回路８２に送信する。レンズ装置２２側から他の機器８０側に情報の要求があった場合も同様に処理する。このような防振装置２０における情報の転送処理によって他の機器８０とレンズ装置２２との間での情報のやり取りを行うことができるようになっている。尚、ＣＰＵ４０は防振制御に必要な情報を他の機器８０から得ることも可能である。
【００３５】
図６は、カメラ１８、防振装置２０、レンズ装置２２の間で各種情報をやり取りするための第３の実施の形態の構成を示したブロック図である。尚、図４と同一又は類似の構成部には図４と同一符号を付し、その説明を省略する。同図において、レンズ装置２２は、カメラ１８との間で各種情報をアナログのパラレル信号によって送受信するための信号変換回路５０と、各種情報をシリアル通信によって送受信するためのシリアルインターフェース回路５２を備え、カメラ１８は、レンズ装置２２との間で各種情報をアナログのパラレル信号によって送受信するための信号変換回路５４と、各種情報をシリアル通信によって送受信するためのシリアルインターフェース回路１００を備えている。また、レンズ装置２２の信号変換回路５０とシリアルインターフェース回路５２の信号ラインは共通のコネクタ１０２に接続されると共に、カメラ１８の信号変換回路５４とシリアルインターフェース回路１００の信号ラインも共通のコネクタ１０４に接続されている。防振装置２２の不使用時にはこれらのコネクタ１０２とコネクタ１０４が接続され、カメラ・レンズ間でパラレル信号による各種情報のやり取りが行われると共にシリアル通信でも各種情報のやり取りが行われるようになっている。
【００３６】
このようなカメラ１８とレンズ装置２２の間に防振装置２０を配置する場合、レンズ装置２２のコネクタ１０２は、防振装置２０のレンズ側コネクタ１０６に接続されると共に、防振装置２０のカメラ側コネクタ１０８がカメラ１８のコネクタ１０４に接続される。尚、レンズ装置２２のコネクタ１０２、カメラ１８のコネクタ１０４、防振装置２０のレンズ側コネクタ１０６及びカメラ側コネクタ１０８は、それぞれ図２のように接続されるコネクタ２２Ａ、１８Ａ、２０Ｂ、２０Ａに相当する。但し、各コネクタ間はケーブルで接続する態様であってもよい。
【００３７】
防振装置２０内においてパラレル信号が伝送される信号ラインは、レンズ側コネクタ１０６とカメラ側コネクタ１０８との間で直結されており、レンズ装置２２の信号変換回路５０とカメラ１８の信号変換回路５４との間でのパラレル信号による各種情報のやり取りが直接行われるようになっている。
【００３８】
一方、レンズ装置２２のシリアルインターフェース回路５２に接続された信号ラインと、カメラ１８のシリアルインターフェース回路１００に接続された信号ラインは防振装置２０内においてシリアルインターフェース回路７０に接続される。
【００３９】
これによれば、防振装置２０のＣＰＵ４０は、第１の実施の形態と同様にシリアルインターフェース回路７０によって防振制御に必要な情報をレンズ装置２２から取得する。また、ＣＰＵ４０は、カメラ１８がレンズ装置２２に要求する情報をシリアルインターフェース回路７０を介して受信し、シリアルインターフェース回路７０を介してレンズ装置２２のシリアルインターフェース回路５２に送信する。そして、その要求に従ってレンズ装置２２のシリアルインターフェース回路５２から送信された情報をシリアルインターフェース回路７０を介して受信し、シリアルインターフェース回路７０を介してカメラ１８のシリアルインターフェース回路１００に送信する。レンズ装置２２側からカメラ１８側に情報の要求があった場合も同様に処理する。このようにレンズ装置２２とカメラ１８との間でやり取りされる情報の転送処理によってカメラ１８とレンズ装置２２との間でのシリアル通信による情報のやり取りも行えるようになっている。
【図面の簡単な説明】
【００４０】
【図１】図１は、本発明に係る防振装置が適用されたスタジオカメラ装置の実施の形態を示した全体図である。
【図２】図２は、カメラ・レンズ間での情報のやり取りを行うためのコネクタの接続態様の一例を示した図である。
【図３】図３は、防振装置２０の内部構成を示したブロック図である。
【図４】図４は、カメラ、防振装置、レンズ装置の間での各種情報をやり取りするための第１の実施の形態の構成を示したブロック図である。
【図５】図５は、カメラ、防振装置、レンズ装置の間での各種情報をやり取りするための第２の実施の形態の構成を示したブロック図である。
【図６】図６は、カメラ、防振装置、レンズ装置の間での各種情報をやり取りするための第３の実施の形態の構成を示したブロック図である。
【符号の説明】
【００４１】
１０…テレビカメラ装置、１６…レンズサポータ、１８…カメラ、２０…防振装置、２２…レンズ装置、３０…補正レンズ、３２、３４…モータ、３６、３８…振れ検出センサ、４０…ＣＰＵ、５０、５４…信号変換回路、５２、７０、８２、１００…シリアルインターフェース回路、６０、６４…パラレル用コネクタ、６２、７６、８４、８６…シリアル用コネクタ、７２…レンズ側パラレル用コネクタ、７４…カメラ側パラレル用コネクタ、８０…他の機器
【図１】
2006065068.tif 000003
【図２】
2006065068.tif 000004
【図３】
2006065068.tif 000005
【図４】
2006065068.tif 000006
【図５】
2006065068.tif 000007
【図６】
2006065068.tif 000008